(57)【要約】【課題】収納可能な操作部が収納された状態で故障した場合でも、本体の操作を可能とし、緊急時にも加熱動作を停止できて安全性に優れていること。【解決手段】キッチン家具３に取り付け、加熱装置２を内蔵する本体１と、キッチン家具３内部に収納可能な第１の操作部６を備え、第１の操作部６と別体で構成され本体１と接続し加熱装置２の操作を行う第２の操作部１０を有した構成とすることにより、加熱動作中に収納可能とした第１の操作部が収納された状態で故障するといった緊急時においても加熱動作を止めることができる。【選択図】図１
2010014298.tif 000002
【特許請求の範囲】
【請求項１】
キッチン家具に設置され、加熱装置と前記加熱装置を駆動・制御する制御基板と、前記加熱装置と前記制御基板を内蔵する本体と、前記キッチン家具内部に収納可能な機構を有し、前記制御基板と接続し前記加熱装置の操作を行う第１の操作部とを備え、前記第１の操作部と別体で構成され前記制御基板と接続し前記加熱装置の操作を行う第２の操作部を有した組み込み式加熱調理器。
【請求項２】
第２の操作部は、キッチン家具に固定可能とし、前記キッチン家具の外部に露出しないことを特徴とした請求項１に記載の組み込み式加熱調理器。
【請求項３】
第２の操作部は、リード線で接続し、前記リード線と前記第２の操作部のケースとの接続部を上方から覆うように庇形状を設けた請求項１または２に記載の組み込み式加熱調理器。
【請求項４】
第２の操作部は、リード線で接続し、前記第２の操作部のケースには前記リード線を保持するフックを設けた請求項１〜３のいずれか１項に記載の組み込み式加熱調理器。
【請求項５】
第２の操作部の電気的接続の不備は、異常報知手段によって報知するとともに、加熱装置の動作を停止することを特徴とした請求項１〜４のいずれか１項に記載の組み込み式加熱調理器。
【請求項６】
第２の操作部には、本体に供給される電源を遮断するブレーカースイッチを配した請求項１〜５のいずれか１項に記載の組み込み式加熱調理器。
【請求項７】
第２の操作部には加熱装置の動作を制御するスイッチを備え、前記スイッチが操作されたとき、前記加熱装置が動作中であれば停止し、前記加熱装置が停止中であれば停止したままの状態となることを特徴とした請求項１〜５のいずれか１項に記載の組み込み式加熱調理器。
【請求項８】
第２の操作部には、加熱装置の動作を制御するスイッチを１つのみ配設することを特徴とした請求項１〜７のいずれか１項に記載の組み込み式加熱調理器。
【請求項９】
本体には、複数の加熱部を備え、前記複数の加熱部に対し、同数の第２の操作部を備えることを特徴とした請求項１〜８のいずれか１項に記載の組み込み式加熱調理器。
【請求項１０】
複数の加熱部に対し同数の第１の操作部を備え、前記第１の操作部は、それぞれが独立して収納可能とした請求項９に記載の組み込み式加熱調理器。
【発明の詳細な説明】
【技術分野】
【０００１】
本発明は収納可能な操作部を有した組み込み式加熱調理器に関するものである。
【背景技術】
【０００２】
従来、この種の組み込み式加熱調理器は、一般家庭のキッチンカウンターや飲食店の客席テーブルなどの様々な設置状況に柔軟に対応できるよう、加熱装置を内蔵する本体と、別体で加熱装置を制御する操作部とを備え、本体と操作部の間を有線で電気的に接続している（例えば、特許文献１参照）。また、この種の構成とすることで、天面部に操作スイッチ等が配置されないため、美観に優れたものとすることができている。
【０００３】
図１１、１２は、特許文献１に記載された従来の組み込み式加熱調理器を示すものである。図１１、１２に示すように、キッチン家具１０１に設置され、加熱装置１０２を内蔵する本体１０３と、本体１０３と別体で、キッチン家具１０１前面に取り付けられた操作部１０４と、本体１０３と操作部１０４を接続するリード線１０５から構成されている。
【０００４】
また、操作部１０４は収納可能な構成とし、不使用時にはキッチン家具１０１の前面と同一面となるよう収納することで、さらに美観を高めている例もある。
【特許文献１】特開平５−２３４６６８号公報
【発明の開示】
【発明が解決しようとする課題】
【０００５】
しかしながら、前記従来の構成の組み込み式加熱調理器において、収納可能な操作部によって加熱制御を行う場合、収納のための機構（たとえば引出し式の摺動機構）が、操作部の収納された状態で故障し、操作部の取出しが不能になった時に、操作不能に陥るという課題を有していた。
【０００６】
また、この種の組み込み式の加熱調理器では、キッチン家具の内部に電源コンセントを配置していることが多く、緊急時に加熱動作を止める必要があっても容易にコンセントから電源プラグを抜くことができないため、操作部のスイッチが使用できない場合は、加熱動作を止めることができないという課題を有していた。
【０００７】
本発明は、前記従来の課題を解決するもので、収納可能な操作部が収納された状態で故障した場合でも、本体の操作を可能とし、緊急時にも加熱動作を停止できる安全性に優れた組み込み式加熱調理器を提供する。
【課題を解決するための手段】
【０００８】
前記従来の課題を解決するために、本発明の組み込み式加熱調理器は、キッチン家具に設置され、加熱装置を内蔵する本体と、キッチン家具内部に収納可能な機構を有し、前記本体と接続し前記加熱装置の操作を行う第１の操作部を備え、前記第１の操作部と別体で形成され前記本体と接続し前記加熱装置の操作を行う第２の操作部を有する構成としたものである。
【０００９】
これによって、収納可能な第１の操作部の収納機構が故障し、操作部に触れることができない状態となっても、第２の操作部によって操作が可能となる。
【発明の効果】
【００１０】
本発明の組み込み式加熱調理器は、収納可能とした第１の操作部が収納された状態で故
障し、操作不能に陥ったとしても、第２の操作部によって操作することができ、また加熱動作中に収納可能とした第１の操作部が収納された状態で故障するといった緊急時においても加熱動作を止めることができるため、安全性に優れた組み込み式加熱調理器を提供することができる。
【発明を実施するための最良の形態】
【００１１】
第１の発明はキッチン家具に設置され、加熱装置を内蔵する本体と、前記キッチン家具内部に収納可能な機構を有し、前記本体と接続し前記加熱装置の操作を行う第１の操作部を備え、前記第１の操作部と別体で形成され前記本体と接続し前記加熱装置の操作を行う第２の操作部を有したとすることにより、収納可能な第１の操作部の収納機構が故障し、操作部に触れることができない状態となっても、第２の操作部によって操作が可能となり、加熱動作中に収納可能な第１の操作部が収納された状態で故障するといった緊急時においても加熱動作を止めることができるため、安全性に優れた組み込み式加熱調理器を提供することができる。
【００１２】
第２の発明は、特に、第１の発明において、第２の操作部をキッチン家具に固定可能とし、前記キッチン家具の外部に露出しないことを特徴としたとすることにより、第２の操作部がキッチン家具の内部に配され、緊急時に停止動作を必要とするとき以外は使用者の目に入らないようにすることができ、安全性に優れつつ、美観に優れた組み込み式加熱調理器を提供することができる。
【００１３】
第３の発明は、特に、第１または第２の発明において、第２の操作部を、リード線で接続し、前記リード線と前記第２の操作部のケースとの接続部を上方から覆うように庇形状を設けたとすることにより、調理あるいは清掃中に水などがこぼれ、第２の操作部の上方より水が垂れる場合であっても、庇形状によってリード線接続部に水がかかることを防ぎ、第２の操作部の故障・誤動作等を防止することとなる。これによって、非常停止スイッチとしての機能を保つことができ、安全性に優れた組み込み式加熱調理器を提供することができる。
【００１４】
第４の発明は、特に、第１〜３のいずれか１つの発明において、第２の操作部を、リード線で接続し、前記第２の操作部のケースには前記リード線を保持するフックを設けたとすることにより、接続部に対して引っ張りなどのストレスがかかるのを防ぐことができ、接続部の故障を防止できる。これによって、非常停止スイッチとしての機能を保つことができ、安全性に優れた組み込み式加熱調理器を提供することができる。
【００１５】
第５の発明は、特に、第１〜４のいずれか１つの発明において、第２の操作部の電気的接続の不備は、異常報知手段によって報知するとともに、加熱装置の動作を停止することを特徴としたとすることにより、第２の操作部が接続されていない場合や、接続するリード線が断線した場合において、ブザーやＬＥＤによって使用者に異常の発生を知らせ修理などの対応を促すとともに、加熱動作できないようにすることで不安全事象（空焼き、天ぷら鍋火災）などを根本的に防止することができる。これによって、安全性に優れた組み込み式加熱調理器を提供することができる。
【００１６】
第６の発明は、特に、第１〜５のいずれか１つの発明において、第２の操作部に本体に供給される電源を遮断するブレーカースイッチを配したとすることにより、加熱動作中に収納可能な第１の操作部が収納された状態で故障するといった緊急時にブレーカースイッチによって、本体の動作を完全に停止させ、被調理物に対する熱の供給を絶つことで不安全事象（空焼き、天ぷら鍋火災）などを根本的に防止することができる。これによって、安全性に優れた組み込み式加熱調理器を提供することができる。
【００１７】
第７の発明は、特に、第１〜５のいずれか１つの発明において、第２の操作部には、加熱装置の動作を制御する停止スイッチを備え、停止スイッチを操作したとき、前記加熱装置が動作中であれば停止し、前記加熱装置が停止中であれば停止したままの状態となることを特徴としたとすることにより、停止スイッチを操作すると必ず加熱装置は動作停止することとなり、加熱動作中に収納可能な第１の操作部が収納された状態で故障するといった緊急時に慌ててスイッチを操作しても、確実に機器の動作を停止させることができる。これによって、安全性に優れた組み込み式加熱調理器を提供することができる。
【００１８】
第８の発明は、特に、第１〜７のいずれか１つの発明において、第２の操作部には、加熱装置の動作を制御する１つのスイッチのみを配することを特徴としたとすることにより、加熱動作中に収納可能な第１の操作部が収納された状態で故障するといった緊急時に慌ててスイッチを操作しようとした際、操作できるスイッチが他に無いため、確実に機器の動作を停止させることができる。これによって、安全性に優れた組み込み式加熱調理器を提供することができる。
【００１９】
第９の発明は、特に、第１〜８のいずれか１つの発明において、本体には、複数の加熱部を備え、前記複数の加熱部に対し、同数の第２の操作部を備えることを特徴としたとすることにより、操作する必要のある加熱部と関連づいた位置（たとえば各加熱部の正面など）に第２の操作部を配置することができ、操作しやすくすることが可能となる。これによって、加熱動作中に収納可能な第１の操作部が収納された状態で故障するといった緊急時であっても、操作しやすい第２の操作部によって、確実に加熱動作を停止させることができ、安全性に優れた組み込み式加熱調理器を提供することができる。
【００２０】
第１０の発明は、特に、第９の発明において、複数の加熱部に対し同数の第１の操作部を備え、前記第１の操作部は、それぞれが独立して収納可能としたとすることにより、複数の収納可能な第１の操作部のうち１つが、収納機構の故障によって操作部に触れることができない状態となっても、残った別の加熱部の動作を制御する第１の操作部は使用可能であるため、安全性に優れつつ、故障時の担保構成を有した加熱調理器を提供することができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における組み込み式加熱調理器の要部断面図を、図２は、本発明の第１の実施の形態における組み込み式加熱調理器の斜視図を示すものである。
【００２３】
図１、図２において、加熱調理器本体１は加熱装置２を内蔵し、本体１はキッチン家具３（ここではキッチンカウンターを例示する）の天面に設けた開口部４に落とし込み設置されている。本体１には加熱装置２の動作を制御する電子部品を備えた制御基板５が内蔵されている。本体１と別体の第１の操作部６は内部に操作スイッチＡ７を配した操作基板Ａ８を備え、リード線Ａ９によって制御基板５と接続している。操作基板Ａ８から制御信号を制御基板５に送り、加熱装置２の動作を制御する。
【００２４】
第１の操作部６は収納式となっており、前後に摺動する機構によって、キッチン家具３の内部に納めることができる。収納時には第１の操作部６の前面がキッチンカウンターの前面より内側か、同一面となることにより優れた美観としている。
【００２５】
第２の操作部１０は内部に操作スイッチＢ１１を配した基板Ｂ１２を備え、リード線Ｂ
１３によって制御基板５と接続している。操作基板Ｂ１２から制御信号を制御基板５に送り、加熱装置２の動作を制御する。
【００２６】
以上のように構成された組み込み式加熱調理器について、以下その動作、作用を説明する。
【００２７】
本実施の形態の組み込み式加熱調理器において、収納式である第１の操作部６の摺動する機構が故障し、キッチン家具３から取り出しできなくなった場合には、たとえ第１の操作部６に内蔵された基板Ａ７や、接続しているリード線Ａ９に故障・不備などが無くても、第１の操作部６による操作はできなくなってしまう。
【００２８】
その場合においても、本実施の形態の組み込み式加熱調理器は第２の操作部１０を設け、第２の操作部１０より制御信号を制御基板５へ送ることで、第１の操作部６による操作不能状態にあっても、加熱装置２の制御を可能としている。
【００２９】
もし、加熱調理器が天ぷら調理などの加熱動作中に第１の操作部６を収納してしまい、さらにそのまま摺動する機構が故障し第１の操作部６が取り出しできなくなってしまった場合であっても、第２の操作部１０が操作されることによって停止することができるため、安全性に優れた組み込み式加熱調理器を提供できる。
【００３０】
また本実施の形態において、第１の操作部６と第２の操作部１０は本体内部の制御基板５とリード線Ａ９、リード線Ｂ１３によって接続しているとしたが、無線通信による接続であっても構わない。その場合、操作部の配置の自由度が増し、美観や使い勝手に優れた組み込み式加熱調理器とすることができる。
【００３１】
また本実施の形態において、第２の操作部１０が接続されていなかったり、第２の操作部１０と制御基板５の間のリード線Ｂ１３が断線していたり、第２の操作部１０内の基板Ｂ１２が故障している、といった接続の不備が発生した場合、第１の操作部６、第２の操作部１０いずれか、あるいは両方で、ＬＥＤ点灯表示やブザーを鳴らすといった異常報知をすることで、使用者に第２の操作部が使用できない状態であることを知らせることができる。こうすることで、故障・不備があることを使用者が意識でき、修理を促すことができる。
【００３２】
また併せて、接続の不備が発生しているときは加熱装置２が動作しない、加熱動作時ならば停止するように制御することで、緊急時に第２の操作部によって加熱動作を止めなくてはならないような状況（天ぷら調理時の火災など）が発生するのを根本的に防止することができる。
【００３３】
（実施の形態２）
図３は本発明の第２の実施の形態における組み込み式加熱調理器の要部断面図を、図４は、本発明の第２の実施の形態における組み込み式加熱調理器の斜視図を示すものである。
【００３４】
なお、本実施の形態２の基本構成は実施の形態１と同様であるので、同様な部分の説明は省略し、相違点を中心に説明する。また、実施の形態１と同一要素には同じ符号を付してその説明を省略する。
【００３５】
図３、図４において、第２の操作部はキッチン家具３に対してツメ２１による嵌合で固定可能としている。キッチン家具３は、加熱調理器本体１の下方に鍋などを収納する引き出し２２を備えている。第２の操作部１０は、キッチン家具３の幕板２３に取り付けられ
ており、引出し２２に覆われ、キッチン家具３の外部に露出しないようになっている。
【００３６】
以上のように構成された組み込み式加熱調理器について、以下その動作、作用を説明する。
【００３７】
引き出し２２を閉めた状態では、キッチン家具３の外部に第２の操作部１０が露出しないため、キッチンの美観を損ねることが無い。また、引出し２２を開ければ容易に第２の操作部１０を操作できるので、摺動機構の故障により第１の操作部６が操作不能状態にあっても、加熱装置２の動作制御が可能となる。
【００３８】
また、もし加熱調理器が天ぷら調理などの加熱動作中に第１の操作部６を収納してしまい、さらにそのまま摺動する機構が故障し第１の操作部６が取り出しできなくなってしまった場合であっても、引出し２２を開け、第２の操作部１０が操作されることによって停止することができるため、美観に優れつつ、安全性に優れた組み込み式加熱調理器を提供できる。
【００３９】
本実施の形態では、第２の操作部をツメ形状によってキッチン家具３の幕板２３に嵌合させるとしたが、ビス締めによってキッチン家具３と締結したり、接着によって固定するとしても、固定さえされていればその方法は問わない。
【００４０】
（実施の形態３）
図５は本発明の第３の実施の形態における組み込み式加熱調理器の要部断面図を、図６は、本発明の第３の実施の形態における組み込み式加熱調理器の第２の操作部の斜視図を示すものである。
【００４１】
なお、本実施の形態３の基本構成は実施の形態１と同様であるので、同様な部分の説明は省略し、相違点を中心に説明する。また、実施の形態１と同一要素には同じ符号を付してその説明を省略する。
【００４２】
図５、図６において、第２の操作部１０と本体１とはリード線１３によって接続されている。第２の操作部１０とリード線１３との接続はコネクタ３３によって接続され、接続用のコネクタ３３は第２の操作部１０の背面に設けられ、その上方を覆うように庇形状３１を備えている。
【００４３】
以上のように構成された組み込み式加熱調理器について、以下その動作、作用を説明する。
【００４４】
キッチンカウンター天面で液体の調理物がこぼれたり、清掃中に水がこぼれたりした際、第２の操作部１０の配置によっては、上方より水がかかる場合がある。図５で示すように第１の操作部６の下方に配置した場合、第１の操作部６に落ちた液体３２がキッチン家具３の内部に入り、第２の操作部１０の上方から垂れてくるが、庇形状３１によって、液体３２がコネクタ３３の接続部や、第２の操作部１０内の操作基板１２に付着するのを防ぐことができる。これによって、第２の操作部１０の故障・誤動作を防止することとなり、第２の操作部１０の信頼性を向上させ、非常時に停止スイッチとしての機能を保つことができるので、安全性に優れた組み込み式加熱調理器を提供できる。
【００４５】
（実施の形態４）
図７は本発明の第４の実施の形態における組み込み式加熱調理器の要部断面図を、図８は、本発明の第４の実施の形態における組み込み式加熱調理器の第２の操作部の斜視図を示すものである。
【００４６】
なお、本実施の形態４の基本構成は実施の形態１と同様であるので、同様な部分の説明は省略し、相違点を中心に説明する。また、実施の形態１と同一要素には同じ符号を付してその説明を省略する。
【００４７】
図７、８において、第２の操作部１０と本体１とはリード線１３によって接続されている。第２の操作部１０とリード線１３との接続はコネクタ３３によって接続され、コネクタ３３の接続部は第２の操作部１０の背面に設けられている。第２の操作部１０の背面には、フック４１が構成され、接続したリード線１３をフック４１にて保持している。
【００４８】
以上のように構成された組み込み式加熱調理器について、以下その動作、作用を説明する。
【００４９】
フック４１にてリード線１３を抑えることで、第２の操作部１０の取付設置時やメンテナンス時などで、リード線１３に対して引っ張り力が加わる場面があっても、フック４１で引っ張り力を受けるので、コネクタ３３に対して直接力が加わり、接続部が故障することを防ぐことができる。こうすることによって、第２の操作部１０の非常スイッチとしての機能を保つことができ、安全性に優れた組み込み式加熱調理器を提供できる。
【００５０】
また、本実施の形態において、第２の操作部１０が摺動して収納可能とした場合、第２の操作部１０の移動によってリード線１３が屈曲し引っ張り力が加わるが、フック４１などによって保持されることで、コネクタ３３に対して直接力が加わり、接続部が故障するのを防ぐことができる。こうすることによって、第２の操作部１０の非常スイッチとしての機能を保つことができ、安全性に優れた組み込み式加熱調理器を提供できる。
【００５１】
また、本実施の形態において、第２の操作部１０が第１の接続部６とリード線１３によって接続されていても、第１の操作部６の収納時の摺動に対して、リード線１３が屈曲し引っ張り力が加わるが、フック４１などによって保持されることで、コネクタ３３に対して直接力が加わり、接続部が故障するのを防ぐことができる。こうすることによって、第２の操作部１０の非常スイッチとしての機能を保つことができ、安全性に優れた組み込み式加熱調理器を提供できる。
【００５２】
本実施の形態では、フック４１による保持としたが、固定金具をビス締めして押圧を加えてリード線１３を固定しても構わない。
【００５３】
（実施の形態５）
図９は本発明の第５の実施の形態における組み込み式加熱調理器の斜視図を示すものである。
【００５４】
なお、本実施の形態５の基本構成は実施の形態１と同様であるので、同様な部分の説明は省略し、相違点を中心に説明する。また、実施の形態１と同一要素には同じ符号を付してその説明を省略する。
【００５５】
図９において、第２の操作部１０には加熱装置２の動作を停止することができるスイッチＢ１１を１つのみ配置している。
【００５６】
以上のように構成された組み込み式加熱調理器について、以下その動作、作用を説明する。
【００５７】
第２の操作部１０に配置されたスイッチＢ１１を操作することによって、加熱装置２の
動作を停止することができる。１つの操作スイッチしか配置しないことによって、加熱動作中に収納可能な第１の操作部６が収納された状態で故障するといった緊急時に慌ててスイッチを操作しようとした際、操作できるスイッチが他に無いため、確実に機器の動作を停止させることができる。これによって、安全性に優れた組み込み式加熱調理器を提供できる。
【００５８】
また、本実施の形態において、さらに、第２の操作部１０に本体１に供給される電源を遮断する（図示していない）ブレーカースイッチを配置することにより、加熱動作中に収納可能な第１の操作部６が収納された状態で故障するといった緊急時にブレーカースイッチによって、本体を動作させる電源を遮断し、被調理物に対する熱の供給を絶つことで不安全事象（空焼き、天ぷら鍋火災）などを根本的に防止することができる。これによって、安全性に優れた組み込み式加熱調理器を提供できる。
【００５９】
また、本実施の形態において、第２の操作部１０のスイッチＢ１１を操作したとき、加熱装置２が動作中であれば停止し、加熱装置２が停止中であれば停止したままの状態となるような制御とすることにより、加熱動作中に収納可能な第１の操作部６が収納された状態で故障するといった緊急時に慌ててスイッチＢ１１を操作しても、スイッチＢ１１を操作すると必ず加熱装置２は動作停止することとなり、確実に機器の動作を停止させることができる。これによって、安全性に優れた組み込み式加熱調理器を提供できる。
【００６０】
（実施の形態６）
図１０は本発明の第６の実施の形態における組み込み式加熱調理器の斜視図を示すものである。
【００６１】
なお、本実施の形態６の基本構成は実施の形態１と同様であるので、同様な部分の説明は省略し、相違点を中心に説明する。また、実施の形態１と同一要素には同じ符号を付してその説明を省略する。
【００６２】
図１０において、本体１には複数の加熱部５１を備えており、複数の加熱部５１に対し、本体１とは別体で、幕板２３に、同数の第２の操作部１０を備えている。複数の加熱部５１に対して、同じ数の第１の操作部６を備え、複数の第１の操作部６はそれぞれが独立して収納可能としている。
【００６３】
以上のように構成された組み込み式加熱調理器について、以下その動作、作用を説明する。
【００６４】
複数の第２の操作部１０を備えることにより、操作する必要のある加熱部５１と関連づいた位置（たとえば各加熱部の正面など）に第２の操作部１０を配置することができ、操作しやすくすることが可能となる。これによって、加熱動作中に収納可能な第１の操作部６が収納された状態で故障するといった緊急時であっても、操作しやすい第２の操作部１０によって、確実に加熱動作を停止させることができ、安全性に優れた組み込み式加熱調理器を提供できる。
【００６５】
また、複数の第１の操作部６をそれぞれが独立して収納可能とすることにより、複数の収納可能な第１の操作部６のうち１つの収納機構が故障し収納されたままの状態に陥った場合においても、残った別の加熱部の動作を制御する第１の操作部６は使用可能となる。また併せて、複数の加熱部５１のうちの１つが故障によって使用不能となったとしても、それ以外の加熱部と第１の操作部６を使用することで、故障部の修理を待つ間であっても加熱調理をすることが可能となる。これによって、安全性に優れつつ、故障時にも使い勝手の良い組み込み式加熱調理器を提供できる。
【産業上の利用可能性】
【００６６】
以上のように、本発明にかかる組み込み式加熱調理器は、収納式の操作部が故障した場合でも操作可能となり、非常時にも停止が可能となるので、非常停止機能が必要な機器（洗濯乾燥機、暖房機器など）の用途にも適用できる。
【図面の簡単な説明】
【００６７】
【図１】本発明の実施の形態１における組み込み式加熱調理器の要部断面図
【図２】本発明の実施の形態１における組み込み式加熱調理器の斜視図
【図３】本発明の実施の形態２における組み込み式加熱調理器の要部断面図
【図４】本発明の実施の形態２における組み込み式加熱調理器の斜視図
【図５】本発明の実施の形態３における組み込み式加熱調理器の要部断面図
【図６】本発明の実施の形態３における組み込み式加熱調理器の第２の操作部の斜視図
【図７】本発明の実施の形態４における組み込み式加熱調理器の要部断面図
【図８】本発明の実施の形態４における組み込み式加熱調理器の第２の操作部の斜視図
【図９】本発明の実施の形態５における組み込み式加熱調理器の斜視図
【図１０】本発明の実施の形態６における組み込み式加熱調理器の斜視図
【図１１】従来の組み込み式加熱調理器の要部断面図
【図１２】従来の組み込み式加熱調理器の斜視図
【符号の説明】
【００６８】
１  加熱調理器本体
２  加熱装置
３  キッチン家具
４  開口部
５  制御基板
６  第１の操作部
７  スイッチＡ
８  操作基板Ａ
９  リード線Ａ
１０  第２の操作部
１１  スイッチＢ
１２  操作基板Ｂ
１３  リード線Ｂ
２１  ツメ
２２  引出し
２３  幕板
３１  庇形状
３２  液体
３３  コネクタ
４１  フック
５１  加熱部
【図１】
2010014298.tif 000003
【図２】
2010014298.tif 000004
【図３】
2010014298.tif 000005
【図４】
2010014298.tif 000006
【図５】
2010014298.tif 000007
【図６】
2010014298.tif 000008
【図７】
2010014298.tif 000009
【図８】
2010014298.tif 000010
【図９】
2010014298.tif 000011
【図１０】
2010014298.tif 000012
【図１１】
2010014298.tif 000013
【図１２】
2010014298.tif 000014